(57)【要約】【課題】バッグインボックスの内袋に封入された液体の残量を容易に目視確認することができる包装容器を提供する。【解決手段】液体を注出する注出口２１を有する袋体２を包装するための包装容器１であって、注出口２１を貫通させて保持する保持孔５が形成され又は形成可能とする正面板１１と、背面板１２と、右側面板１３と、左側面板１４と、上蓋１６と、底蓋１５とを有し、正面板１１、背面板１２、右側面板１３、左側面板１４、上蓋１６及び底蓋１５から選ばれる少なくとも２面には、内部に光を入れるため又は内部を目視するための窓４０（４０ａ，４０ｂ）が設けられている。窓の４０少なくとも一つが、包装容器１の使用状態における高さ方向の中間位置よりも下部に又は下部側に設けられていることが好ましい。【選択図】図１
2020117292.tif 000002
【特許請求の範囲】
【請求項１】
液体を注出する注出口を有する袋体を包装するための包装容器であって、
前記注出口を貫通させて保持する保持孔が形成され又は形成可能とする正面板と、背面板と、右側面板と、左側面板と、上蓋と、底蓋とを有し、
前記正面板、前記背面板、前記右側面板、前記左側面板、前記上蓋及び前記底蓋から選ばれる少なくとも２面には、内部に光を入れるため又は内部を目視するための窓が設けられている、ことを特徴とする包装容器。
【請求項２】
前記窓の少なくとも一つが、前記包装容器の使用状態における高さ方向の中間位置よりも下部に又は下部側に設けられている、請求項１に記載の包装容器。
【請求項３】
前記各窓それぞれが、対向する面に設けられている、請求項１又は２に記載の包装容器。
【請求項４】
前記各窓それぞれが、前記正面板との境界に沿って前記右側面板及び前記左側面板に設けられている、請求項１〜３のいずれか１項に記載の包装容器。
【請求項５】
前記窓が、前記右側面板及び前記左側面板それぞれの対向位置に設けられている、請求項１〜４のいずれか１項に記載の包装容器。
【請求項６】
前記窓が、前記正面板及び前記背面板それぞれの対向位置に設けられている、請求項１〜３のいずれか１項に記載の包装容器。
【請求項７】
前記窓が同一面に列をなして複数設けられている、請求項１〜６のいずれか１項に記載の包装容器。
【請求項８】
前記袋体はバッグインボックスを構成する内袋であり、前記包装容器は前記バッグインボックスを構成する外装箱である、請求項１〜７のいずれか１項に記載の包装容器。
【発明の詳細な説明】
【技術分野】
【０００１】
本発明は、包装容器に関する。さらに詳しくは、本発明は、バッグインボックス（バッグインカートンともいう。）の内袋に封入された液体の残量を容易に目視確認することができる包装容器に関する。
【背景技術】
【０００２】
バッグインボックスは、液体飲料、液体化粧品、液体薬品等の液体を封入可能とし、封入した液体を外に注ぎ出すための注出口を有する内袋と、この内袋を収納して外形を保持する外装箱とで構成された箱である。バッグインボックスの注出口から液体を注ぎ出すと、内袋の液体の残量が徐々に減ることになるが、内袋は外装箱で覆われていることから、内袋に収容された液体の残量を確認することができない。
【０００３】
こうした問題に対し、例えば特許文献１には、中に収容された写真感光材料用処理液の残量を容易に確認することができるバッグインボックスが提案されている。このバックインボックスは、透明の袋状の容器を段ボール製の箱に収納してなるバッグインボックスにおいて、箱の側面に箱内に収容された写真感光材料用処理液の残量を確認することができる窓を形成するというものである。
【０００４】
また、特許文献２には、袋の底部を明瞭に確認しつつ液体を注出口に確実に導くことが可能なバッグインボックス用外箱が提案されている。このバッグインボックス用外箱は、その上壁に、袋を視認可能な開口部又は開口部を形成するための第１切断線を形成している。
【先行技術文献】
【特許文献】
【０００５】
【特許文献１】特開平１０−１４７３６８号公報
【特許文献２】特開２０１４−３１２１３号公報
【発明の概要】
【発明が解決しようとする課題】
【０００６】
しかしながら、上記特許文献１，２では、外箱の内部に光が入射しにくく、内袋に収容された液体の残量が非常に見えにくいという問題があった。
【０００７】
本発明は、上記課題を解決するためになされたものであって、その目的は、バッグインボックスの内袋に封入された液体の残量を容易に目視確認することができる包装容器を提供することにある。
【課題を解決するための手段】
【０００８】
本発明に係る包装容器は、液体を注出する注出口を有する袋体を包装するための包装容器であって、前記注出口を貫通させて保持する保持孔が形成され又は形成可能とする正面板と、背面板と、右側面板と、左側面板と、上蓋と、底蓋とを有し、前記正面板、前記背面板、前記右側面板、前記左側面板、前記上蓋及び前記底蓋から選ばれる少なくとも２面には、内部に光を入れるため又は内部を目視するための窓が設けられている、ことを特徴とする。
【０００９】
この発明によれば、包装容器を構成する各面のうち少なくとも２面に、内部に光を入れるか内部を視認するための窓が設けられているので、包装容器の内部に光を採光しやすく、一方の窓から中をのぞいたときに、他方の窓からの採光によって袋体内の液体の残量が非常に見えやすくなる。
【００１０】
本発明に係る包装容器において、前記窓の少なくとも一つが、前記包装容器の使用状態における高さ方向の中間位置よりも下部に又は下部側に設けられている。この発明によれば、窓が包装容器の中間位置よりも低い位置にあるので、特に液体残量が少なくなったときに、現状の残量を容易に目視確認することができる。
【００１１】
本発明に係る包装容器において、前記各窓それぞれが、対向する面に設けられている。この発明によれば、一方の窓から中をのぞいたときに、他方の窓が対向する面にあるので、より採光性に優れ、袋体内の液体の残量がより見えやすくなる。
【００１２】
本発明に係る包装容器において、前記各窓それぞれが、前記正面板との境界に沿って前記右側面板及び前記左側面板に設けられている。この発明によれば、注出口が設けられた正面板の折り曲げ部に沿って左右の側面板に設けられているので、ユーザーが左右どちらからも見やすい位置に窓が設けられている。
【００１３】
本発明に係る包装容器において、前記窓が、前記右側面板及び前記左側面板それぞれの対向位置に設けられている。この発明によれば、ユーザーが一方の窓からのぞき込んだ際に、他方の窓がその対向位置に設けられているので、他方の窓からの採光によって袋体内の液体の残量が非常に見えやすくなる。
【００１４】
本発明に係る包装容器において、前記窓が、前記正面板及び前記背面板それぞれの対向位置に設けられている。この発明によれば、注出口が設けられた正面板とその正面板に対向する背面板とに窓が設けられているので、正面からの残量確認が容易になる。
【００１５】
本発明に係る包装容器において、前記窓が同一面に列をなして複数設けられている。この発明によれば、包装容器の強度を落とさずに、内部に光を入れやすい又は内部を目視しやすい窓を広い範囲で設けることができる。
【００１６】
本発明に係る包装容器において、前記袋体はバッグインボックスを構成する内袋であり、前記包装容器は前記バッグインボックスを構成する外装箱である。
【発明の効果】
【００１７】
本発明によれば、バックインボックスの内袋に封入された液体の残量を容易に目視確認することができる包装容器を提供することができる。特に包装容器の少なくとも２面に窓を設けることで、一方を採光側、他方を目視側とすることができ、包装容器内の液の残量を容易に確認することができる。
【図面の簡単な説明】
【００１８】
【図１】本発明に係る包装容器の一例を示す展開図である。
【図２】本発明に係る包装容器の一例を示す外観斜視図である。
【図３】本発明に係る包装容器の他の一例を示す外観斜視図である。
【図４】本発明に係る包装容器のさらに他の一例を示す外観斜視図である。
【図５】本発明に係る包装容器のさらに他の一例を示す外観斜視図である。
【図６】底蓋に凸状体を形成させて包装容器を斜めに前傾させた形態を示す説明図である。
【発明を実施するための形態】
【００１９】
本発明に係る包装容器について図面を参照しつつ説明する。本発明は下記の実施形態に限定されるものではない。本発明に係る包装容器は、図１に示すように、１枚の板状（シート状）の部材の各部に折曲線やスリット等を設け、各部を折り曲げたり切り取ったりすることで組み立てることもできるが、これに限定されない。包装容器を構成する複数の部材を連結させて組み立ててもよい。
【００２０】
［包装容器］
本発明に係る包装容器１は、例えば封入した液体飲料、液体化粧品、液体薬品等の液体を注出する注出口を有する袋体を包装して外形を保持するために用いられるものである。その基本的な構成は、図１〜図５に示すように、液体を注出する注出口２１を有する袋体２を包装するための包装容器であって、注出口２１を貫通させて保持する保持孔５が形成され又は形成可能とする正面板１１と、背面板１２と、右側面板１３と、左側面板１４と、上蓋１６と、底蓋１５とを有し、その正面板１１、背面板１２、右側面板１３、左側面板１４、上蓋１６及び底蓋１５から選ばれる少なくとも２面には、内部に光を入れるため又は内部を目視するための窓４０（４０ａ，４０ｂ）が設けられている。
【００２１】
本発明は、正面板１１、背面板１２、右側面板１３、左側面板１４、上蓋１６及び底蓋１５から選ばれる少なくとも２面に、内部に光を入れるため又は内部を目視するための窓４０（４０ａ，４０ｂ）が設けられているので、包装容器１の内部に光を採光しやすく、一方の窓から中をのぞいたときに、他方の窓からの採光によって袋体内の液体の残量が非常に見えやすくなる。
【００２２】
この包装容器１は、通常は図１に例示する段ボール等を折り曲げて作製される直方体又は立方体の外装箱である。そのため、正面板１１と背面板１２と右側面板１３と左側面板１４と上蓋１６と底蓋１５とは、折り曲げ方によって任意に設計される。通常、上蓋１６は上面フラップ１６１〜１６４が重なり合うことで形成され、底蓋１５は下面フラップ１５１〜１５４が重なり合うことで形成され、背面板１２は、正面板１１に対向する位置に配置され、右側面板１３及び左側面板１４は正面板１１と背面板１２とを連結した帯状の胴部を構成している。
【００２３】
以下、各構成要素を図面に基づいて詳しく説明する。
【００２４】
（正面板）
正面板１１は、図１の展開図及び図２〜図５の組み立て図に示すように、注出口２１を貫通させて保持する保持孔５が形成され又は形成可能とする板状体である。正面板１１は、底蓋１５（図１の例では正面板連結底面フラップ１５３（単に底面フラップ１５３ともいう。））と、右側面板１３と、左側面板１４と、上蓋１６（図１の例では上面フラップ１６３）とにそれぞれ連結されている。こうした正面板１１であれば、その形態や組立方法等は特に限定されない。図１の例では、正面板１１と底面フラップ１５３との連結部には折曲線１１ａが設けられている。正面板１１と右側面板１３との連結部には折曲線１１ｂが設けられている。正面板１１と左側面板１４との連結部には折曲線１１ｃが設けられている。正面板１１と上面フラップ１６３との連結部には折曲線１１ｄが設けられている。
【００２５】
この正面板１１には、図１に示すように、注出口２１を引き出すための引出用穴を形成可能とする切取線３（ミシン目等）と、その引出用穴の周縁下部に設けられて注出口２１を保持する保持孔５を形成可能とする切取線５ａ（ミシン目等）とが設けられている。保持孔５の形態、形成位置及びその形成方法は特に限定されないが、例えば図１の例では、切除片部６を除去して形成される。形成された保持孔５は、図１の例では、正面板１１の切取線３とともに他の壁面にも設けられている切取線３とを切り取って残留片部４を形成し、その残留片部４を利用して注出口２１を保持孔５に保持している。なお、「他の壁面」とは、左側面板１４又は右側面板１３のいずれかである。この残留片部４は、包装容器１が組み立てられた後において、他の壁面に設けられた折曲部７で容易に折り返しでき、さらに、正面板１１と他の壁面（例えば左側面板１４）とで構成された稜部８を支点として容易に折り曲げることができるので、切除片部６を除去して形成された保持孔５に注出口２１を固定して保持することができる。
【００２６】
（背面板）
背面板１２は、図１に示すように、正面板１１に対向する位置に配置された板状体である。背面板１２には、底蓋１５（図１の例では背面板連結底面フラップ１５１（単に底面フラップ１５１ともいう。））と、左側面板１４と、上蓋１６（図１の例では上面フラップ１６１）とがそれぞれ連結されている。こうした背面板１２であれば、その形態や組立方法等は特に限定されない。図１の例では、背面板１２と底面フラップ１５１の連結部には折曲線１２ａが設けられている。背面板１２と左側面板１４との連結部には折曲線１２ｂが設けられている。背面板１２と上面フラップ１６１との連結部には折曲線１２ｃが設けられている。背面板１２にはさらに糊代片１２１が連結されている。背面板１２と糊代片１２１との連結部には折曲線１２ｄが設けられている。糊代片１２１は、折曲線１２ｄを基線として折り曲げられ、右側面板１３の内側の面に接着されることにより、帯状の胴部を筒状に一体固着させる。これにより、筒状の胴部が形成される。
【００２７】
（右側面板）
右側面板１３は、左側面板１４に対向した位置に配置された板状体であり、左側面板１４とともに正面板１１と背面板１２とを連結させて帯状の胴部を形成する。右側面板１３には、正面板１１と、底蓋１５（図１の例では右側面板連結底面フラップ１５４（単に底面フラップ１５４ともいう。））と、上蓋１６（図１の例では上面フラップ１６４）と、がそれぞれ連結されている。こうした右側面板１３であれば、その形態や組立方法等は特に限定されない。図１の例では、右側面板１３と正面板１１との連結部には、折曲線１１ｂが設けられている。右側面板１３と底面フラップ１５４との連結部には、折曲線１３ａが設けられている。右側面板１３と上面フラップ１６４との連結部には、折曲線１３ｂが設けられている。この右側面板１３には、図１に例示する残留片部４を形成するための切取線３が、正面板１１から連続して設けられていてもよい。
【００２８】
（左側面板）
左側面板１４は、右側面板１３に対向した位置に配置された板状体であり、右側面板１３とともに正面板１１と背面板１２とを連結させて帯状の胴部を形成する。左側面板１４には、正面板１１と、背面板１２と、底蓋１５（図１の例では左側面板連結底面フラップ１５２（単に底面フラップ１５２ともいう。））と、上蓋１６（図１の例では上面フラップ１６２）とがそれぞれ連結されている。こうした左側面板１４であれば、その形態や組立方法等は特に限定されない。図１の例では、左側面板１４と正面板１１との連結部には折曲線１１ｃが設けられている。左側面板１４と背面板１２との連結部には折曲線１２ｂが設けられている。左側面板１４と底面フラップ１５２との連結部には折曲線１４ａが設けられている。左側面板１４と上面フラップ１６２との連結部には折曲線１４ｂが設けられている。この左側面板１４には、図１で例示する残留片部４を形成するための切取線３が、正面板１１から連続して設けられていてもよい。
【００２９】
（底蓋）
底蓋１５は、包装容器１の底面部を構成する板状体であり、その形態や組立方法等は特に限定されない。図１の例では、複数の底面フラップ１５１〜１５４が重なり合って形成されて包装容器１の底面部を構成している。ここでいう底面フラップ１５１〜１５４とは、正面板１１の底辺に連結された正面板連結底面フラップ１５３、背面板１２の底辺に連結された背面板連結底面フラップ１５１、右側面板１３の底辺に連結された右側面板連結底面フラップ１５４及び左側面板１４の底辺に連結された左側面板連結底面フラップ１５２である。なお、図１の例では、底面フラップが４枚で構成されているが、１枚以上で構成できれば必ずしも４枚である必要はない。
【００３０】
底蓋１５は、図１の例では、各底面フラップ１５１〜１５４との連結部にそれぞれ設けられた折曲線を基線として各底面フラップが折り曲げられ、重ね合わされて形成される。図１の例では、正面板連結底面フラップ１５３、背面板連結底面フラップ１５１、右側面板連結底面フラップ１５４、左側面板連結底面フラップ１５２の順で折り曲げられる。正面板連結底面フラップ１５３と背面板連結底面フラップ１５１の折り曲げ順は逆であってもよい。なお、正面板連結底面フラップ１５３は、正面板１１に連結された底面フラップであり、正面板１１との連結部には折曲線１１ａが設けられている。背面板連結底面フラップ１５１は、背面板１２に連結された底面フラップであり、背面板１２との連結部には折曲線１２ａが設けられている。右側面板連結底面フラップ１５４は、右側面板１３に連結された底面フラップであり、右側面板１３との連結部には折曲線１３ａが設けられている。左側面板連結底面フラップ１５２は、左側面板１４に連結された底面フラップであり、左側面板１４との連結部には折曲線１４ａが設けられている。
【００３１】
（上蓋）
上蓋１６は、包装容器１の上面部を構成する板状体であり、その形態や組立方法等は特に限定されない。図１の例では、上面フラップ１６１〜１６４が、各連結部にそれぞれ設けられた折曲線を基線として折り曲げられて重なり合うことにより形成されている。ここでいう上面フラップ１６１〜１６４とは、正面板１１の上面に連結された正面板連結上面フラップ１６３、背面板１２の上辺に連結された背面板連結上面フラップ１６１、右側面板１３の上辺に連結された右側面板連結上面フラップ１６４及び左側面板１４の上辺に連結された左側面板連結上面フラップ１６２である。なお、図１の例では、上面フラップが４枚で構成されているが、１枚以上で構成できれば必ずしも４枚である必要はない。
【００３２】
取っ手（図示せず）を備える袋体２を包装した場合、上蓋１６には、その取っ手を包装容器１の外部に露出させるための取手孔１６０が任意に設けられていてもよい。
【００３３】
背面板連結上面フラップ１６１は、背面板１２に連結された上面フラップであり、背面板１２との連結部には折曲線１２ｃが設けられている。この背面板連結上面フラップ１６１は、取手孔１６０の形成を邪魔しないために、その先端縁１６１ａを後退させてもよい。正面板連結上面フラップ１６３は、正面板１１に連結された上面フラップであり、正面板１１との連結部には折曲線１１ｄが設けられている。この正面板連結上面フラップ１６３も、取手孔１６０の形成を邪魔しないために、その先端縁１６３ａを後退させてもよい。左側面板連結上面フラップ１６２は、左側面板１４に連結された上面フラップであり、左側面板１４との連結部には折曲線１４ｂが設けられている。この左側面板連結上面フラップ１６２には、取手孔１６０の一部を形成する切欠き部１６２ａが設けられていてもよい。また、右側面板連結上面フラップ１６４は、右側面板１３に連結された上面フラップであり、右側面板１３との連結部には折曲線１３ｂが設けられている。この右側面板連結上面フラップ１６４には、取手孔１６０を形成する折曲部１６４ａと切取線１６４ｂ（ミシン目）とが設けられていてもよい。
【００３４】
（組立手順）
上述したように、糊代片１２１により胴部が形成された後、以下の手順で底蓋１５及び上蓋１６が形成される。底蓋１５の形成手順は、その底蓋に凸状体３０を設ける場合（図６参照）には、底面フラップを組み合わせて凸状体３０を形成することがあり、必ずしもその形成手順は限定されない。なお、上蓋１６の形成手順も特に限定されないが、図１のように取手孔１６０が右側面板連結上面フラップ１６４に設けられている場合には、例えば、折曲線１１ｄを基線として正面板連結上面フラップ１６３を内側に折り曲げ、その後、折曲線１２ｃを基線として背面板連結上面フラップ１６１を内側に折り曲げ、その後、折曲線１４ｂを基線として左側面板連結上面フラップ１６２を内側に折り曲げ、最後に、折曲線１３ｂを基線として右側面板連結上面フラップ１６４を内側に折り曲げる。
【００３５】
（包装容器の材質、大きさ）
包装容器１の材質としては、紙製品（段ボールや板紙等の紙製品）を用いることが好ましいが、紙製品に限定されない。例えば、加工し易い樹脂等を使用してもよい。樹脂を使用した場合、樹脂の特性を生かした包装容器１を製造することができる。その結果、性質や外観の異なる複数種類の包装容器１を製造することができる。また、包装容器１の大きさも特に限定されないが、一般家庭で使用される液体洗剤等を袋体２に封入する場合には、包装容器１の縦・横・奥行の長さは、それぞれ数十センチ程度となるのが好ましい。包装容器１の形状は、直方体に限らず、立方体でもよく、また、一面とその対向する面が五角形以上の多角形であってもよい。
【００３６】
（窓）
図２〜図５は、窓４０が設けられている包装容器１の例を示す外観斜視図である。窓４０は、正面板１１、背面板１２、右側面板１３、左側面板１４、上蓋１６及び底蓋１５から選ばれる少なくとも２面に設けられている。その窓４０により、包装容器１の内部に光を採光しやすく、一方の窓から中をのぞいたときに、他方の窓からの採光によって、バッグインボックスの内袋（袋体２）に封入された液体残量４５を容易に目視確認することができる。
【００３７】
窓４０の形状は、特に限定されず、各種の形状とすることができ、例えば、矩形、帯形、楕円形、円形等の形状とすることができる。図２〜図４に示すような矩形の窓４０は、細長い長四角形状又は略長四角形状であり、その長手方向の両端部４２，４２を図示のように曲線状の半円形状とすることができる。そうした窓４０は、その輪郭として設けられたミシン目等の切取線４１を切り取って形成される。窓４０の形成は、先ず、半円形状の両端部４２，４２を指で押し込んで切取線４１で切断し、切断した端部４２に指を掛けて残りの部分を切り離して窓４０を空けることができる。
【００３８】
図２に示す矩形状の窓４０は、長さＬで幅Ｗの上下方向に細長く延びた形状である。少なくとも１つの窓４０が、上下に延びる矩形状の窓であることが好ましい。窓４０は液体の残量４５を確認するために設けるので、上下方向に延びる底蓋側の端部４３が底蓋近くまで延びていることにより、残量を容易に確認することができる。窓４０の下端となる底蓋側の端部４３は、底蓋１５から０〜２０ｍｍ程度の位置であることが好ましい。また、上下方向に延びる窓４０の上端（上蓋側の端部４３）は、包装容器１の中間位置であることが好ましい。こうした位置関係で窓４０を設けることで、液体残量が多くても少なくても、現状の残量を容易に目視確認することができる。なお、窓４０から内部の残量を見やすくするためであれば、窓４０を大きくすればよいが、窓４０を大きくすると包装容器１の強度が低下することから、強度を維持しつつ、残量を確認できる程度の大きさで設けられていることが望ましい。そのため、本発明では、長さＬで幅Ｗの上下方向に細長く延びる矩形状としている。
【００３９】
上下方向に延びる窓４０は、包装容器１の使用状態における高さ方向の中間位置よりも下部に又は下部側に設けられていることが好ましい。こうした構造形態とすることにより、液体残量が少なくなったときに、現状の残量を容易に目視確認することができる。なお、「下部に」とは、窓４０が高さ方向の中間位置よりも下にあることを意味し、「下部側に」とは、窓４０の上端は中間位置を超えるが、図２に示すように窓４０全体としては下部側に設けられていることを意味する。
【００４０】
各窓４０ａ，４０ｂは、それぞれ対向する面に設けられていることが好ましい。こうすることにより、一方の窓４０ａから中をのぞいたときに、他方の窓４０ｂが対向する面にあるので、より採光性に優れ、袋体内の液体の残量がより見えやすくなる。窓４０ａ，４０ｂが設けられる対向位置としては、右側面板１３と左側面板１４であってもよいし（図２〜図５を参照）、正面板１１と背面板１２であってもよい（図示しない）。こうすることにより、ユーザーが一方の窓４０ａからのぞき込んだ際に、他方の窓４０ｂがその対向位置に設けられているので、他方の窓４０ｂからの採光によって袋体内の液体の残量が非常に見えやすくなる。窓４０を右側面板１３と左側面板１４に設けることにより、右側面板１３と左側面板１４のどちらからでも中身を確認することができる。また、窓４０を正面板１１と背面板１２に設けることにより、包装容器１の正面から中身を確認することができる。
【００４１】
図３の例は、各窓４０ａ，４０ｂそれぞれが、正面板１１との境界（折曲線１１ｂ、１１ｃ）に沿って右側面板１３及び左側面板１４に設けられている場合である。正面板１１近くの位置は、ユーザーが左右どちらからも見やすい位置であるので、ユーザーは左右どちらからも中の残液を容易に目視確認することができる。
【００４２】
図４の例は、一方の窓４０ａが、正面板１１との境界（折曲線１１ｂ）に沿って右側面板１３に上下に細長く延びるように設けられており、他方の窓４０ｂが、左側面板１４のほぼ中間位置に左右に細長く延びるように設けられている場合である。こうすることにより、左側面板１４に設けられた窓４０ｂから光を採光することできるので、右側面板１３の窓４０ａから中をのぞき込んだ場合、左側面板１４の窓４０ｂを容易に確認できる。この場合は、一方の窓４０ａからしかのぞき込むことはできないが、のぞき込む角度が一定でなくてもユーザーは中の残液を容易に目視確認することができる。このように、少なくとも一方の窓は、残液を確認するための窓とする必要があるが、他方の窓は、目的に応じて種々の設計が可能である。
【００４３】
図５の例は、窓４０ａ，４０ｂがそれぞれの同一面に列をなして複数設けられている形態である。複数設けられる個々の窓４０ａ，４０ｂの形状は特に限定されず、円形（真円形、楕円形）や矩形（正方形、長方形）とすることができる。図５に示す複数の窓は、同一面に列をなして設けられている。こうすることにより、包装容器１の強度を落とさずに、内部に光を入れやすい又は内部を目視しやすい窓４０ａ、４０ｂを広い範囲で設けることができる。
【００４４】
図６は、底蓋１５に凸状体３０を形成させて包装容器１を斜めに前傾させた形態を示す説明図である。上記した窓４０により、液体残量４５を確認することができるが、使用に伴い、袋体２に封入された液体の容量が減ってきたことを確認できた場合でも、そのままでは注出口２１から十分な量の液体が出てこなくなる。このような場合、図６に示すような凸状体３０を底蓋１５に形成することにより、包装容器１を前傾させることができる。この前傾により、液体残量を少なくすることができる。こうした凸状体３０については特に限定されず、種々の形態や方法で形成することができる。
【００４５】
本発明は上記した実施の形態に記載の内容に限定されるものではなく、特許請求の範囲に記載されている事項の範囲内で考えられるその他の実施の形態や使用例も含むものである。また、本発明に係る要旨を逸脱しない範囲内であれば種々の変更や上記実施の形態の組み合わせを施してもよい。
【符号の説明】
【００４６】
１  包装容器
２  袋体
３  切取線（ミシン目）
４  残留片部
５  保持孔
５ａ  切取線（ミシン目）
６  切除片部
７  折曲部
８  稜部
１１  正面板
１１ａ〜１１ｄ  折曲線
１２  背面板
１２ａ〜１２ｄ  折曲線
１３  右側面板
１３ａ，１３ｂ  折曲線
１４  左側面板
１４ａ，１４ｂ  折曲線
１５  底蓋
１６  上蓋
２１  注出口
３０  凸状体
４０，４０ａ，４０ｂ  窓
４１  切取線
４２  長手方向の端部
４３  折曲線
４５  液体残量
Ｌ  窓の長さ
Ｗ  窓の幅
１２１  糊代片
１５１  底面フラップ（背面板連結底面フラップ）
１５２  底面フラップ（左側面板連結底面フラップ）
１５３  底面フラップ（正面板連結底面フラップ）
１５４  底面フラップ（右側面板連結底面フラップ）
１６０  取手孔
１６１  背面板連結上面フラップ
１６２  左側面板連結上面フラップ
１６３  正面板連結上面フラップ
１６４  右側面板連結上面フラップ
１６１ａ  先端縁
１６２ａ  切欠き部
１６３ａ  先端縁
１６４ａ  折曲部
１６４ｂ  切取線（ミシン目）
【図１】
2020117292.tif 000003
【図２】
2020117292.tif 000004
【図３】
2020117292.tif 000005
【図４】
2020117292.tif 000006
【図５】
2020117292.tif 000007
【図６】
2020117292.tif 000008